(57)【要約】【課題】            車両の盗難を未然に防止し、万が一、盗難されても短時間の内に盗難車両を捜せるようにした、携帯電話を利用した、車両盗難防止装置およびその方法を提供する。【解決手段】        携帯電話を利用した車両盗難防止装置は、車両のドアの開閉を感知し、制御信号を送信する複数のドアセンサーと、運転席の周囲に設置され映像と音声を車内携帯電話へ送信する入力装置と、上記ドアセンサーと入力装置に有線または無線で接続され、車両所有者と電話通信を行う車内携帯電話から構成される。【選択図】          図１
2006137291.tif 000002
【特許請求の範囲】
【請求項１】
車両のドアの開閉を認識し制御信号を送る複数のドアセンサー（１）と、運転席の周囲に設置されて映像と音声を車内携帯電話（３）へ送信する入力装置と、上記ドアセンサー（１）と入力装置（２）に、有線または無線で接続され車両所有者と電話通信を行う車内携帯電話（３）とから構成されることを特徴とする携帯電話を利用した車両盗難防止装置。
【請求項２】
車内携帯電話（３）は自動発信が可能であり、位置追跡サービスが可能な携帯電話であることを特徴とする請求項１に記載の携帯電話を利用した車両盗難防止装置。
【請求項３】
入力装置（２）は、映像を入力するＣＣＤカメラと音声を入力する小型マイクが共に又は各々構成されることを特徴とする請求項１に記載の携帯電話を利用した車両盗難防止装置。
【請求項４】
ドア又はドアロックが開いているのを感知すると、通話信号を送り、上記通話信号によって、予め設定されている電話番号へ発信し、車両内の映像や音声を送り、車内に設置された携帯電話（３）の位置追跡サービスを通じて、車両の位置を追跡することを特徴とする携帯電話を利用した車両盗難防止方法。
【請求項５】
車両所有者が自分の車両に設置された車内携帯電話（３）へ電話をかけ、通話接続し、電話通信によって車両内の音声や映像を受信し、車内携帯電話（３）の位置追跡サービスを利用し、車両の位置を追跡することを特徴とする携帯電話を利用した車両盗難防止方法。
【発明の詳細な説明】
【技術分野】
【０００１】
本発明は、携帯電話を利用した車両盗難防止装置およびその方法に関するもので、より詳細には、ドアの開閉を認識し、制御信号を送信するドアセンサーと、運転席の周囲に設置されて映像と音声を受信し、車内携帯電話へ送信する入力装置と、上記ドアセンサーと入力装置に有線で接続されて無線電話通信を行う車内携帯電話とで構成され、窃盗犯によって不適切にドアの開閉がされるのを感知すると、車内携帯電話が車両所有者の携帯電話に電話することによって、車両の盗難を未然に防止し、盗難された場合でも、上記の車両に設置されている車内携帯電話の位置追跡サービスと入力装置によって入力され送信された窃盗犯の映像と音声および周囲の騒音等を通じて短時間の内に車両を捜すことができるようにした、携帯電話を利用した車両盗難防止装置、およびその方法に関するものである。
【背景技術】
【０００２】
一般に、車両に設置される車両盗難防止装置は、車両の車体に外部物体が接触するか、一定水準以上の振動が感知された場合、アラームが鳴るかドアを閉める等の作動がせいぜいのところであった。従って、車両を盗もうとする窃盗犯が上記の警報を無視して無理やりに車両のドアを開け、エンジンを始動し、上記車両を走行させて逃げる場合には、お手上げであり、又、盗まれた車両の位置をろくに追跡できず、盗まれた車両を短時間の内に探し出すのは難しいという問題点があった。
【発明の開示】
【発明が解決しようとする課題】
【０００３】
本発明の目的は、上記問題点を解決するためのものであり、窃盗犯が不適切に車両のドアを開けた場合、車両所有者の携帯電話と無線電話の間に通信がなされるようにし、盗難の前に、前もって措置が取れるようにする事によって、車両が盗難されても位置追跡サービスを利用し、盗難車両を容易に追跡できるようにする、携帯電話を利用した車両盗難防止装置およびその方法を提供することにある。
【課題を解決するための手段】
【０００４】
本発明は、ドアの開閉を感知するドアセンサーと、上記ドアセンサーが異常を感知すると、車両所有者の携帯電話に通信を行う車両の内部に設置されている車内携帯電話と、車内の映像と音声を車内携帯電話に送り車両所有者の携帯電話へ出力できるようにする入力装置とが、車両の内部に設置されるように構成された、携帯電話を利用した車両の盗難防止装置およびその方法である。
【発明の効果】
【０００５】
上記のように構成された本発明は、車両に設置されているドアセンサー（１）が窃盗犯の不適切な方法によるドアロックまたはドアが開けられるのを感知し、車内携帯電話（３）へ通信信号を送り、通信信号は車内携帯電話（３）が、車両所有者が予め設定した電話番号へ自動発信し、所有者だけに内密に知らせることによって、車両の盗難が防止でき、車両が既に盗難されていても、上記車内携帯電話（３）の位置追跡サービスと，車内携帯電話（３）に接続されている入力装置（２）を通じて車両の位置および窃盗犯の身元を容易に把握できるため、盗難された車両の手配や窃盗犯の検挙が短時間でできるようになる。
【発明を実施するための最良の形態】
【０００６】
本発明の構成および作用を添付の図面によって詳細に説明すると、以下の通りである。
【０００７】
本発明は、車両のドアの開閉を認識し、通話信号を送る複数のドアセンサー（１）と、運転席の周囲に設置されて、運転者等の映像と音声が入力される入力装置（２）と、上記ドアセンサー（１）と入力装置（２）に有線或いは無線で接続され車両所有者と電話通信を行う車内携帯電話（３）から構成され、窃盗犯により不適切にドアまたはドアロックが開けられるのをドアセンサー（１）が感知すると、車内携帯電話（３）が車両所有者の携帯電話（４）等の、前もって設定された電話番号に電話をすることを特徴とする。
【０００８】
上記構成の内、入力装置（２）は、小型マイクやＣＣＤカメラ等の映像と音声を入力する装置が併せて備えられて構成されることもでき、映像および音声を入力する２つの装置が別途に構成されることもできる。
【０００９】
なお、車内携帯電話（３）は、発信と着信が可能でなければならないことは勿論、無音発着信、自動発着信に設定されて使用され、位置追跡サービスに登録されていることが望ましく、使用者が予め設定した電話番号へ電話を行うように構成されることが望ましい。
【００１０】
上記の構成を有する本発明は、図１に示すように、車両に設置されて使用されるが、入力装置（２）は運転席の周囲に設置され、ドアセンサー（１）は、ドア、ルーフ、またはピラー等のドアの付近に設置される。勿論、上記ドアセンサー（１）と入力装置（２）および車内携帯電話（３）は外部に露出しないように設置し、窃盗犯の目に付かないようにするのが望ましい。
【００１１】
上記構成要素等は、次のような作用によって車両の盗難を防止し、盗難された車両を手配して容易に捜せるようにする。即ち、ドアセンサー（１）はドアロックの施錠状態や解除状態、またはドアの開閉を感知し、ドアロックが解除されたりドアが開けられたりする時、その信号を車内携帯電話（３）へ送信する役割をし、入力装置（２）は、盗難された車両内の映像や音声を入力し車内携帯電話へ送信する役割をし、車内携帯電話（３）は、上記ドアセンサー（１）からの信号と入力装置（２）から受信した映像等の信号を予め設定されている電話番号へ発信する役割をする。
【００１２】
上記役割を基に、携帯電話を利用し車両の盗難を防止する方法を説明すると、以下の通りである。
【００１３】
他人が、正常ではない方法で車両のドアを開けるために施錠状態のドアロックの内、１つのドアロックでも開けられると、複数の内のある１つのドアセンサー（１）がドアロックが解除されるのを感知し、上記車内携帯電話（３）へ信号を送るようになる。上記の信号は通話信号になり車内携帯電話（３）の通話ボタンを押すことと同様の役割を果たすことになる。
【００１４】
上記通話信号により、車内携帯電話（３）は特定の電話番号へ発信することになるが、発信するべき電話番号は車両の所有者が予め車内携帯電話（３）に設定した電話番号、または車内携帯電話（３）の最終発信番号であり、この番号に自動発信するようになる。この際、車内携帯電話（３）が自動発信する電話番号は、車両所有者の携帯電話（４）または自宅の電話番号に設定するのが望ましい。
【００１５】
上記のように、車内携帯電話（３）が自動発信されて、車両の所有者は、車内携帯電話（３）の番号が自分の携帯電話（４）または自宅の電話機に表示されることによって、車両のドアが開けられ車両が盗難される恐れのあることを迅速に知ることができる。この際、従来の車両盗難防止装置とは違って、車両の所有者だけに車内携帯電話（３）を通じて知らせることによって、車両に正常でない手段で侵入した他人は、車両盗難装置が作動していることを全然感知できない。勿論、車内携帯電話（３）は、無音で発信および着信できる状態になっている。
【００１６】
車両所有者は、車両の駐車してある所へ行って確認し、車両に侵入した他人が車両の盗難をあきらめるようにさせるか、逮捕できるようになり、車両の盗難が防止できる。
【００１７】
上記過程は、車両が所有者に電話通信を行うことによって、車両の盗難を事前に防止する方法である。これとは異なり、所有者の手から逃れて盗難された車両を手配し、捜し出す方法は以下の通りである。
【００１８】
即ち、この場合は、車両に設置されている車内携帯電話（３）の位置追跡サービスを通じて追跡でき、また、車内携帯電話（３）へ電話をかけると、自動着信モードに設定されている車内携帯電話（３）は、自動的に通話状態となり、所有者の携帯電話（４）とつながる。
【００１９】
車内携帯電話（３）は、小型マイクやＣＣＤカメラ等の入力装置（２）を通じて、車両を盗んだ窃盗犯の映像や音声を、所有者の携帯電話（４）へ送信するようになり、車内携帯電話（３）の加入している位置追跡サービスにより車両の位置を捜せるようになる。
【００２０】
従って、所有者が直接盗難車両へ電話をかけて、映像通信と同様な方法により窃盗犯の映像と音声を得ることになり、逃走した窃盗犯の身元を把握できるようになる。勿論、車両の位置は、車内携帯電話（３）の位置追跡サービスによって簡単に捜すことができるようになる。
【図面の簡単な説明】
【００２１】
【図１】本発明の車両盗難防止装置の構成および使用状態を示す図である。
【符号の説明】
【００２２】
１    ドアセンサー
２    入力装置
３    車内携帯電話
４    車両所有者の携帯電話
【図１】
2006137291.tif 000003